(57)【要約】物品（２４）を盗難から保護するための機器が開示される。本機器は、盗難から保護されるべき物品に該機器を取り付けることを可能にするために、先の尖ったピン部材（１４）を備える。機器内に配置されるハウジング（１７）は、底部と、拘束端（３４）に向かって先細に傾斜した壁部（３３）とを備える。ハウジングは、ピン部材を挿入可能に受け入れるための同軸開口を備える。ボールクラッチ機構が、ハウジング内に配置され、かつ複数のボール（２６）を備える。ボールが前記ハウジングの拘束端に向かって付勢される時に、ボールは先細に傾斜した壁部とピン部材との間に挟持され、ピン部材に対して半径方向に沿って付与される圧力が増大し、ピン部材が機器から引き抜かれることが防止される。底部は部材（４２）を備え、部材（４２）は、ピン部材がハウジング内に挿入される際に、下向きに撓んで、ピン部材を機器内に摩擦係合させるために、ピン部材に対して半径方向に沿った力を付与する。
2011530663.tif 000002
【特許請求の範囲】
【請求項１】
盗難防止機器であって、
ａ．盗難から保護されるべき物品に前記盗難防止機器を取り付けるためのピン部材と、
ｂ．前記盗難防止機器内に配置されるハウジングであって、底部、および拘束端へ向けて先細に傾斜する壁部を有する前記ハウジングと、
ｃ．前記ハウジング内に配置されるボールクラッチ機構であって、前記ピン部材に対して半径方向に沿った圧力を付与して、前記ピン部材が前記盗難防止機器から取り外されることを防止する前記ボールクラッチ機構と、
ｄ．前記ピン部材を縦方向に沿って挿入可能に受け入れるために、前記ハウジングおよび前記ボールクラッチ機構を通って延びる同軸開口とを備え、
ｅ．前記底部は可撓性部材を備え、該可撓性部材は、前記ピン部材が挿入される際に、前記ハウジングの拘束端から離間する方向に撓んで、前記ピン部材を前記盗難防止機器内に摩擦係合させるために、前記ピン部材に半径方向に沿った力を付与する盗難防止機器。
【請求項２】
前記ボールクラッチ機構は、複数のボールを備える請求項１に記載の盗難防止機器。
【請求項３】
磁気的な係止解除機器をさらに備え、該係止解除機器は前記縦方向に沿って磁力を印加して、前記複数のボールを前記ピン部材から解放し、それによって前記ピン部材は前記盗難防止機器から解放されて、取り除かれる請求項２に記載の盗難防止機器。
【請求項４】
前記底部は半径方向に沿って延びる複数の可撓性のタブを備え、該タブは磁性材料から形成され、前記磁力に応じて、前記タブは前記ハウジングの拘束端から離間する方向に撓んで、前記複数のボールを前記ピン部材から解放する請求項３に記載の盗難防止機器。
【請求項５】
前記ピン部材は直径を有し、前記ボールクラッチ機構内の前記開口は、該直径より小さい請求項１に記載の盗難防止機器。
【請求項６】
前記ボールは、磁力に引き寄せられる材料から形成される請求項２に記載の盗難防止機器。
【請求項７】
前記ボールは、非磁性材料から形成される請求項２に記載の盗難防止機器。
【請求項８】
前記ボールは、一律に寸法が定められる請求項２に記載の盗難防止機器。
【請求項９】
前記ボールクラッチ機構は、四個のボールを備える請求項２に記載の盗難防止機器。
【請求項１０】
前記ボールクラッチ機構は、三個のボールを備える請求項１に記載の盗難防止機器。
【請求項１１】
前記四個のボールは、一律に寸法が定められる請求項９に記載の盗難防止機器。
【請求項１２】
前記ピン部材は拡大ヘッドと、該拡大ヘッドに取付けられ、かつ一端が尖った長尺状軸部とを備え、前記長尺状軸部の尖った一端が、盗難から保護される物品を通って、前記ハウジング及び前記ボールクラッチ機構の同軸開口内に挿入されることにより、前記物品への取り付けが可能となる請求項１に記載の盗難防止機器。
【請求項１３】
前記ハウジングは、中空内部を有するカップ状構造を備える請求項１に記載の盗難防止機器。
【請求項１４】
前記ピン部材を前記盗難防止機器から取り外すような試みに応じて、前記複数のボールはカップの拘束端に向けて移動させられ、かつ前記先細に傾斜した壁部と前記ピン部材との間に挟持されて、前記ピン部材に対して半径方向に沿った圧力を付与し、前記ピン部材が前記盗難防止機器から取り外されることが防止される請求項２に記載の盗難防止機器。
【請求項１５】
前記盗難防止機器からの前記ピン部材の解放および取り外しの際に、前記複数のボールは、前記ハウジング内に配置されて維持される請求項３に記載の盗難防止機器。
【請求項１６】
前記盗難防止機器は再利用可能である請求項１５に記載の盗難防止機器。
【請求項１７】
前記ハウジングの近傍に配置されたホッパをさらに備え、前記底部は拡大された開口をさらに備え、前記盗難防止機器から前記ピン部材を解放し、かつ取り外す際に、前記複数のボールのうち少なくとも一つが前記拡大された開口を通って、前記ホッパ内へ落下する請求項３に記載の盗難防止機器。
【請求項１８】
前記盗難防止機器は再利用不可能である請求項１７に記載の盗難防止機器。
【請求項１９】
前記拡大された開口は中心にあり、かつ、前記可撓性部材は、前記拡大された開口内に延びる請求項１７に記載の盗難防止機器。
【請求項２０】
盗難防止機器であって、
ａ．盗難から保護されるべき物品に前記盗難防止機器を取り付けるためのピン部材と、
ｂ．前記盗難防止機器内に配置されるハウジングであって、底部、及び拘束端へ向けて先細に傾斜する壁部を有する前記ハウジングと、
ｃ．前記ハウジング内に配置されるボールクラッチ機構であって、前記ピン部材に対して半径方向に沿った圧力を付与して、前記ピン部材が前記盗難防止機器から取り外されることを防止する複数のボールを備える前記ボールクラッチ機構と、
ｄ．前記ピン部材を縦方向に沿って挿入可能に受け入れるために、前記ハウジングおよび前記ボールクラッチ機構を通って延びる同軸開口とを備え、
ｅ．前記底部は、複数の半径方向に沿って延び、かつ磁性材料から形成される可撓性タブを備え、磁力に応じて、前記タブは前記ハウジングの拘束端から離間する方向に撓んで、前記複数のボールが前記ピン部材から解放される盗難防止機器。
【発明の詳細な説明】
【技術分野】
【０００１】
本発明は、ピン・クラッチ機構を含む種類の盗難防止機器の改良に関する。本発明は、さらに、磁場が印加されると、ピンがクラッチ機構から解放される種類のピン・クラッチ機構の改良に関する。
【背景技術】
【０００２】
盗難防止機器は、物品の盗難を防止するために、商品等の物品に取り付けられる。機器が取り付けられた物品が、機器が最初に物品から取り外されることなく、監視下の敷地から持ち去られる場合に、電子的に警報を発生させる種類の盗難防止機器が知られている。一般的に、盗難防止機器は、該機器を物品に取り付けるための取付手段を備え、該取付手段は、機器が物品から無許可で取り外されることを防ぐように、物品の両側面上において互いに係止するように構成された二つの構成部品で具現化される。一般的な取付手段は、ピンと、ピンを受入れて、把持（クラッチ）するための他方の構成部品で具現化される手段とを含む。機器は、ピンが物品の一部を通過し、かつ他方の構成部品のクラッチ内へ通過することによって、保護されるべき物品に取り付けられる。
【発明の概要】
【発明が解決しようとする課題】
【０００３】
この種の盗難防止機器の欠点は、ピンを把持するための部品内に、大型で重いバネをしばしば用いることにある。このような大型で重いバネの使用は、盗難防止機器のピン・クラッチ部品を過度に大型で、しばしば嵩張るものとし、これは、消費者が購入のために商品を適切に検討することを妨げる。また、この盗難防止機器の重量および寸法のために、より目の細かい布地または比較的軽量の布地へのこの機器の使用は、実用的でないことが多い。この大型で重いバネを不要とするような盗難防止機器は、これらの欠点を解消し得る。この種の盗難防止機器の別の欠点は、一回限りの使用を目的としていないことにある。一回使用の盗難防止機器は、商品に適用される前後において、この機器の在庫をより有効に管理できるようにすることが望ましい。この一回使用の機器は、機器が商品に適用される位置、例えば店舗の位置、機器が適用される時間、および機器が商品から取り外された後の機器の処理を、使用者がより有効に決定することを可能にする。本明細書に説明される機器のような一回の使用を意図する盗難防止機器、即ち、商品から一旦取り外されると作動不能とされる機器は、これらの利点を提供する。本発明の盗難防止機器は、上述された欠点を克服する実施形態を含む。
【０００４】
本明細書において引用される全ての文献は、全体として、参照により本明細書に組み込まれる。
【課題を解決するための手段】
【０００５】
物品を盗難から保護するための機器が開示される。本機器は、先の尖ったピン部材を備え、盗難から保護されるべき物品への機器の取り付けを可能とする。機器内に配置されるハウジングは、底部と、拘束端へ向けて先細に傾斜した壁部とを備える。ハウジングは、ピン部材を挿入可能に受け入れるための同軸開口を備える。ボールクラッチ機構が、ハウジング内に配置され、かつ複数のボールを備える。ボールがハウジングの拘束端に向かって付勢されると、ボールは先細に傾斜した壁部とピン部材との間に挟持されて、ピン部材に対して付与される半径方向に沿った圧力を増大させ、ピン部材が機器から引き抜かれることが防止される。底部は、ハウジングへのピン部材の挿入の際に、下向きに撓む部材を備え、その撓む部材は、ピン部材を機器内に摩擦係合させるように、ピン部材に対して半径方向に沿った力を付与する。
【０００６】
本発明が、以下の図面と併せて説明され、図面において、同様の符号は、同様の要素を示している。
【図面の簡単な説明】
【０００７】
【図１】商品の物品に取り付けられた本発明の盗難防止機器の第一実施形態の部分的に断面が示される正面図。
【図２】盗難防止機器のハウジング内に挿入されたピンと盗難防止機器に適用された磁気的な係止解除機器とを示す本発明の盗難防止機器の第一実施形態の正面図。
【図３】盗難防止機器のハウジングから取り外されたピンと盗難防止機器に適用された磁気的な係止解除機器とを示す本発明の盗難防止機器の第一実施形態の正面図。
【図４】ピンを挿入する前の部分的に断面が示されている本発明の盗難防止機器の第一実施形態の正面図。
【図５】図１の５−５線に沿った断面図。
【図６】本発明の盗難防止機器の第一実施形態の座金部品を示す斜視図。
【図７】商品の物品に取り付けられた本発明の盗難防止機器の第二実施形態の部分的に断面が示される正面図。
【図８】盗難防止機器のハウジング内に挿入されたピンと盗難防止機器に適用された磁気的な係止解除機器とを示す本発明の盗難防止機器の第二実施形態の正面図。
【図９】盗難防止機器のハウジングから取り外されたピンと盗難防止機器に適用された磁気的な係止解除機器とを示す本発明の盗難防止機器の第二実施形態の正面図。
【図１０】ピンを挿入する前、あるいはピンを取り外した後における本発明の盗難防止機器の第二実施形態の正面図。
【図１１】本発明の盗難防止機器の第二実施形態の座金部品を示す斜視図。
【発明を実施するための形態】
【０００８】
図面を参照すると、図１乃至図６において、本発明の盗難防止機器の第一実施形態が、一般に符号１０で示されている。以下に示されるように、第一実施形態は、再利用不能である。図１を参照すると、盗難防止機器１０は、基本的に、ピン１４およびハウジング１７を含む二つの部品である。ピン１４は軸部１６を備えている。任意の適切な材料、例えばプラスチックから製造され得るハウジング１７は、ボール室３１を備えている。ボール室３１は、放射方向に対称に、拘束端３４に向かって先細に傾斜した壁部３３と、バネ座金２２とによって画定され、バネ座金２２は拘束端３４と対向する。内部空洞１８はボール室３１内に位置する。一組となる四個のボール２６が空洞１８内に配置され、ホッパ３０がバネ座金２２の下方に位置する。本発明の権利範囲から逸脱することなく、より少ないか、より多くのボール２６が採用されても良い。ボール２６は、任意の適切な材料、好適には、磁性材料、例えば鋼鉄から形成されて良い。図１に示されているように、機器１０のピン１４およびハウジング１７は、商品２４からの機器１０の無許可の取り外しを防止するために、商品２４の一部の両側面上で共に係止されるように構成されている。
【０００９】
機器１０は、ピン１４が商品２４の一部を通過し、かつ内部空洞１８を通過することによって、保護される商品２４に取り付けられる。全てのボール２６は、一律に寸法が定められる。また、壁部３３および拘束端３４は、逆向きのカップに似た形状を有し、かつ任意の適切な材料、例えばステンレス鋼から製造され得る。図３に良く示されるように、室の拘束端３４は、ピン１４が通過することを可能とするための小さな軸線方向孔３８を備える。バネ座金２２は、空洞１８の底部として作用する。図６を参照すると、バネ座金２２は、孔３８と軸線方向に沿って整合する中心配置開口４６を備え、かつ、複数のタブ４０を備え、タブ４０は、その周囲４７から開口４６へ向けて内向きに延びている。図１、図２および図４に良く示されるように、タブ４０は、ボール２６の中心線を僅かに越えて延び得る。
【００１０】
図４に良く示されるように、ピン１４を空洞１８内へ挿入する前に、タブ４０は、曲げられていない状態にあり、かつ、ボール２６を空洞１８の拘束端３４に向けて付勢している。図４に示されるように、ピン１４を挿入する前に、ボールは、拘束端３４と接触している。代替的には、ボール２６は、ピン１４を挿入する前に、拘束端３４と近接しても良い。図１を参照すると、空洞１８へのピン１４の挿入に際して、ピン１４は、孔３８を通って延び、かつ、ボール２６を、先細に傾斜した壁部３３に沿って、拘束端３４から離間させて、拘束端３４およびボール２６の間に間隙を提供する。ボール２６が拘束端３４から離間するように移動する際に、ボール２６はタブ４０に対して圧力を付与し、タブは下向きに撓むと共に、反対の上向きの圧力を付与して、ボール２６を拘束端３４へ移動させる。次に、ボール２６は、ピン１４に対して半径方向に沿った圧力を付与して、ピン１４を堅固に把持し、それにより、ピン１４がハウジング１７から取り外されることを制限する。タブ４０を備えたバネ座金２２は、任意の適切な磁性材料または非磁性材料から形成され、タブ４０は、拘束端３４から離間するように引かれることができる。
【００１１】
図６に良く示されるように、可撓性部材４２は、バネ座金２２の中心開口４６内に延びている。ピン１４がバネ座金２２の開口４６を通って挿入されると、可撓性部材４２は下向きに撓み、可撓性部材４２は、ピン１４をハウジング１７内に係合した状態に維持するため、及び機器１０が突然の動的荷重または衝撃荷重にさらされ、例えば、床に落下した結果、ピン１４がハウジング１７から取り除かれることを防止するために、ピン１４へ横方向に沿った力を付与するように、ピン１４の軸部１６に係合する。可撓性部材４２は、可撓性部材４２をピン１４への係合から解放するように、電磁石又は永久磁石によって引き付けられ得る適切な磁性材料から形成される。
【００１２】
図２および図３を参照すると、ピン１４を空洞１８から取り外すために、永久磁石、電磁石、又は他の磁石５０の形態を有する磁束が印加されている。ピン１４の軸線方向に沿って磁場を印加すると、タブ４０は磁石５０に向かって引き寄せられ、ボール２６は空洞１８内において拘束端３４から離間するように移動可能となり、ピン１４に対して付与される半径方向に沿った圧力が解放され、ピン１４がハウジング１７から取り外されることが可能となる。ボール２６又はバネ座金２２のいずれかは、磁性材料、例えば鋼鉄から形成され得る。代替的には、ボール２６およびバネ座金２２の両方が、磁性材料、例えば鋼鉄から形成されても良い。
【００１３】
図３に示されるように、ピン１４を取り外すと、ボール２６が空洞１８からホッパ３０内へ落下し、ひいては、ピン１４の取り外しが可能となり、かつ本実施形態の機器１０の再使用が防止される。同様に、可撓性部材４２は、磁石に向かって撓むと共に、ピン１４の軸部１６への係合から解放され、更に、ハウジング１７からのピン１４の取り外しを可能にするように、ボール２６がホッパ３０に落下することを可能にする。磁石５０を機器１０から取り外すと、可撓性部材４２は、ホッパ３０内へ延びて維持されるように配置されると共に、その初期位置へ弾性的に戻らない。タブ４０は、図４に示されるようなピン１４の挿入前における位置へ戻る。
【００１４】
図７乃至１１を参照すると、図１乃至６に記載された一回使用の実施形態と対照的に、複数回使用可能である本発明の第二実施形態１００が示されている。第一実施形態１０と同様に、第二実施形態は、基本的に二個の部品、即ちピン１１４およびハウジング１１７である。ピン１１４は、軸部１１６を備え、ハウジング１１７は、任意の適切な材料、例えばプラスチックから製造され、かつボール室１３１を備える。ボール室１３１は、半径方向に対称的であると共に、拘束端１３４に向かって先細に傾斜した壁部１３３と、バネ座金１２２とによって画定され、バネ座金１２２は拘束端１３４と対向している。内部空洞１１８が、ボール室１３１内に位置している。一組となる任意の適切な数のボール１２６、例えば四個のボールが、空洞１１８内に配置され、ホッパ１３０がバネ座金１１２の下方に配置されている。第一実施形態１０と同様に、ボール１２６は、任意の適切な材料、好適には磁性材料、例えば鋼鉄から形成され得る。図７に示されるように、機器１００のピン１１４およびハウジング１１７は、商品１２４からの機器１００の無許可の取り外しを防止するように、商品１２４の一部の両側面上で共に係止されるように構成されている。
【００１５】
機器１００は、ピン１１４が商品２４の一部を通過し、かつ内部空洞１１８を通過することによって、保護される商品１２４に取り付けられる。全てのボール１２６は、一律に寸法が定められる。内部空洞１１８は、拘束端１３４に向かって先細に傾斜し、かつ半径方向に対称である壁部１３３を備える。また、壁部１３３および拘束端１３４は、逆向きのカップに似た形状を有し、かつ任意の適切な材料、例えばステンレス鋼から製造され得る。図９に良く示されるように、室の拘束端１３４は、ピン１１４が通過するための小さな軸線方向孔１３８を備える。バネ座金１２２は内部空洞１１８の底部として作用する。図１１を参照すると、バネ座金１２２は、孔１３８と軸線方向に沿って整合した中心配置開口１４６とを備え、かつ複数のタブ１３９を備え、タブ１３９は、その周囲から開口１４６へ向けて内向きに延びている。本実施形態１００のバネ座金１２２の開口１４６は、実施形態１０の開口４６より小さいが、ピンの軸部１１６の直径より大きい。
【００１６】
任意で、複数のタブ１３９の一つは、図１乃至６の第一実施形態の再利用不可能な機器１０について説明されたものと同様な状態で、バネ座金１２２の中心開口１４６内へ延びる可撓性部材（図示せず）を備えても良い。ピン１１４が開口１４６を通って挿入されると、可撓性部材（図示せず）は下向きに撓み、可撓性部材は、ピン１１４をハウジング１１７に係合した状態に維持するため、及び機器１００が突然の動的荷重または衝撃荷重にさらされ、例えば、床に落下した結果、ピン１１４がハウジング１１７から取り除かれることを防止するために、ピン１１４へ横方向に沿った力を付与するように、ピン１１４の軸部１１６に係合する。
【００１７】
図１０に良く示されるように、ピン１１４がハウジング１１８内に挿入されていない時に、タブ１３９は、内部空洞１１８の拘束端１３４へ向けてボール１２６を付勢するように位置決めされる。図７を参照すると、ピン１１４の内部空洞１１８内への挿入に際して、ピン１１４は、孔１３８を通って延び、ボール１２６を、先細に傾斜した壁部１３３に沿って、拘束端１３４から離間させる。それに応じて、タブ１３９（及び任意で、図示されていない可撓性部材）は、下向きに撓むと共に、反対の上向きの圧力を付与して、ボール１２６を、拘束端１３４へ向けて移動させる。次に、ボール１２６は、ピン１１４に対して半径方向に沿った圧力を付与して、ピン１１４を堅固に把持し、それにより、ピン１１４がハウジング１１７から取り外されることを制限する。タブ１３９は、任意の適切な磁性材料から形成され、タブ１３９は拘束端１３４から離間するように引き寄せられることができる。
【００１８】
図８および図９を参照すると、ピン１１４を内部空洞１１８から取り外すために、永久磁石又は電磁石１５０の形態を有する磁束が印加されている。ピン１１４の軸線方向に沿って磁場を印加すると、タブ１３９（及び任意で、図示されていない可撓性部材）は磁石１５０に向かって引き寄せられ、ボール１２６は内部空洞１１８内において拘束端１３４から離間するように移動可能となり、ボール１２６によってピン１１４に対して付与された半径方向に沿った圧力が解放され、ピン１１４がハウジング１１７から取り外されることが可能となる。本実施形態１００のタブ１３９は、実施形態１０のタブ４０より僅かに長い。図９に示されるように、ピン１１４の取り外しに際して、ボール１２６は、本実施形態１００のバネ座金１２２の開口１４６のより小さな寸法の結果として、内部空洞１１８内に維持されて、ホッパ１３０内へ落下せず、ひいては、機器１００の本実施形態の再使用が可能となる。図１０に示されるように、磁石１５０が取り外された後に、タブ１３９は、ピン１１４の挿入前にあった位置へ戻る。
【図１】
2011530663.tif 000003
【図２】
2011530663.tif 000004
【図３】
2011530663.tif 000005
【図４】
2011530663.tif 000006
【図５】
2011530663.tif 000007
【図６】
2011530663.tif 000008
【図７】
2011530663.tif 000009
【図８】
2011530663.tif 000010
【図９】
2011530663.tif 000011
【図１０】
2011530663.tif 000012
【図１１】
2011530663.tif 000013
【手続補正書】
【提出日】平成23年4月7日(2011.4.7)
【手続補正１】
【補正対象書類名】特許請求の範囲
【補正対象項目名】全文
【補正方法】変更
【補正の内容】
【特許請求の範囲】
【請求項１】
盗難防止機器であって、
盗難から保護されるべき物品に前記盗難防止機器を取り付けるためのピン部材と、
前記盗難防止機器内に配置されるハウジングであって、バネ座金、および拘束端へ向けて先細に傾斜する壁部を有する前記ハウジングと、
複数のボールを有し、かつ前記ハウジング内に配置されるボールクラッチ機構であって、前記複数のボールによって前記ピン部材に対して半径方向に沿った圧力を付与して、前記ピン部材が前記盗難防止機器から取り外されることを防止する前記ボールクラッチ機構と、
前記ピン部材を縦方向に沿って挿入可能に受け入れるために、前記ハウジングおよび前記ボールクラッチ機構を通って延びる同軸開口とを備え、
前記バネ座金は可撓性部材を備え、該可撓性部材は、前記ピン部材が挿入される際に、前記ハウジングの拘束端から離間する方向に撓んで、前記ピン部材を前記盗難防止機器内に摩擦係合させるために、前記ピン部材に半径方向に沿った力を付与する盗難防止機器。
【請求項２】
磁気的な係止解除機器をさらに備え、該係止解除機器は前記バネ座金に対して磁力を印加して、前記複数のボールを前記ピン部材から解放し、それによって前記ピン部材は前記盗難防止機器から解放されて、取り除かれる請求項１に記載の盗難防止機器。
【請求項３】
前記バネ座金は半径方向に沿って延びる複数の可撓性のタブを備え、該タブは磁性材料から形成され、前記磁力に応じて、前記タブは前記ハウジングの拘束端から離間する方向に撓んで、前記複数のボールを前記ピン部材から解放する請求項２に記載の盗難防止機器。
【請求項４】
前記ピン部材は直径を有し、前記ボールクラッチ機構内の前記開口は、該直径より小さい請求項１に記載の盗難防止機器。
【請求項５】
前記ボールは、磁力に引き寄せられる材料から形成される請求項２に記載の盗難防止機器。
【請求項６】
前記ボールは、非磁性材料から形成される請求項２に記載の盗難防止機器。
【請求項７】
前記ボールは、一律に寸法が定められる請求項２に記載の盗難防止機器。
【請求項８】
前記ボールクラッチ機構は、四個のボールを備える請求項２に記載の盗難防止機器。
【請求項９】
前記ボールクラッチ機構は、三個のボールを備える請求項１に記載の盗難防止機器。
【請求項１０】
前記四個のボールは、一律に寸法が定められる請求項８に記載の盗難防止機器。
【請求項１１】
前記ピン部材はヘッドと、該ヘッドに取付けられ、かつ一端が尖った長尺状軸部とを備え、前記長尺状軸部の尖った一端が、盗難から保護される物品を通って、前記ハウジング及び前記ボールクラッチ機構の同軸開口内に挿入されることにより、前記物品への取り付けが可能となる請求項１に記載の盗難防止機器。
【請求項１２】
前記ハウジングは、中空内部を有するカップを備える請求項１に記載の盗難防止機器。
【請求項１３】
前記複数のボールは、前記長尺状軸部が前記ハウジング内に挿入される際に、前記カップの拘束端に向けて移動させられ、かつ前記先細に傾斜した壁部に挟持されて、前記複数のボールは前記長尺状軸部に対して半径方向に沿った圧力を付与し、それによって前記ピン部材が前記盗難防止機器から取り外されることが防止される請求項１２に記載の盗難防止機器。
【請求項１４】
前記ハウジングの近傍に配置されたホッパをさらに備え、前記バネ座金は拡大された開口をさらに備え、前記盗難防止機器から前記ピン部材を解放し、かつ取り外す際に、前記複数のボールのうち少なくとも一つが前記拡大された開口を通って、前記ホッパ内へ落下し、それによって前記盗難防止機器は再利用不能となる請求項２に記載の盗難防止機器。
【請求項１５】
前記拡大された開口は中心にあり、かつ、前記可撓性部材は、前記拡大された開口内に延びる請求項１４に記載の盗難防止機器。
【請求項１６】
盗難防止機器であって、
盗難から保護されるべき物品に前記盗難防止機器を取り付けるためのピン部材と、
前記盗難防止機器内に配置されるハウジングであって、バネ座金、及び拘束端へ向けて先細に傾斜する壁部を有する前記ハウジングと、
前記ハウジング内に配置されるボールクラッチ機構であって、前記ピン部材に対して半径方向に沿った圧力を付与して、前記ピン部材が前記盗難防止機器から取り外されることを防止する複数のボールを備える前記ボールクラッチ機構と、
前記ピン部材を縦方向に沿って挿入可能に受け入れるために、前記ハウジングおよび前記ボールクラッチ機構を通って延びる同軸開口とを備え、
前記バネ座金は、複数の半径方向に沿って延び、かつ磁性材料から形成される可撓性タブを備え、磁力に応じて、前記タブは前記ハウジングの拘束端から離間する方向に撓んで、前記複数のボールが前記ピン部材から解放される盗難防止機器。
【請求項１７】
磁気的な係止解除機器をさらに備え、該係止解除機器は前記バネ座金に磁力を印加して、前記複数のボールを前記ピン部材から解放することによって、前記ピン部材は前記盗難防止機器から解放され、かつ取り外される請求項１６に記載の盗難防止機器。
【請求項１８】
前記ピン部材を前記盗難防止機器から解放し、かつ取り外す際に、前記複数のボールを前記ハウジング内に維持することによって、前記盗難防止機器を再利用可能とする請求項１７に記載の盗難防止機器。
【請求項１９】
前記バネ座金は可撓性部材を備え、該可撓性部材は、前記ピン部材が挿入される際に、前記ハウジングの拘束端から離間する方向に撓んで、前記ピン部材を前記盗難防止機器内に摩擦係合させるために、前記ピン部材に対して半径方向に沿った力を付与する請求項１７に記載の盗難防止機器。
【国際調査報告】
2011530663.tif 000014
2011530663.tif 000015
2011530663.tif 000016